(57)【特許請求の範囲】
【請求項１】
挿入部が連結された操作部の下端近傍に、上記挿入部内に挿通配置された処置具挿通チャンネル内に処置具を挿入するための処置具挿入口が外方に向けて開口形成され、吸引管と上記処置具挿通チャンネルとを分岐接続する分岐接続部材が、上記操作部の下端近傍内部に配置されて上記処置具挿入口に連通接続された内視鏡の配管分岐部において、
治工具の先端を係合させるための係合部を上記分岐接続部材の外面に設けると共に、上記分岐接続部材を取り囲む上記操作部の枠体の上記処置具挿入口寄りの位置に、上記係合部に係合させる治工具を外部から差し込むための切り欠きを形成したことを特徴とする内視鏡の配管分岐部。
【請求項２】
上記分岐接続部材に対して、上記処置具挿入口の内側に配置された接続口金が螺合接続される請求項１記載の内視鏡の配管分岐部。
【請求項３】
上記係合部が、上記分岐接続部材に突設された突片である請求項１又は２記載の内視鏡の配管分岐部。
【請求項４】
上記係合部に、上記治工具の先端を螺合させるためのネジが形成されている請求項１、２又は３記載の内視鏡の配管分岐部。
【請求項５】
上記係合部に、上記治工具の先端を係合させるための孔が形成されている請求項１、２又は３記載の内視鏡の配管分岐部。
【請求項６】
上記切り欠きが、上記操作部の枠体に形成されたスリ割りである請求項１、２、３、４又は５記載の内視鏡の配管分岐部。
【請求項７】
上記切り欠きが、上記操作部の枠体に形成された孔である請求項１、２、３、４又は５記載の内視鏡の配管分岐部。
【請求項８】
上記切り欠きが長円形状の孔であり、上記分岐接続部材を上記処置具挿入口に近づける方向に向けて細長く形成されている請求項７記載の内視鏡の配管分岐部。
【発明の詳細な説明】
【０００１】
【発明の属する技術分野】
この発明は、処置具挿通チャンネルが吸引チャンネルとして兼用された内視鏡の配管分岐部に関する。
【０００２】
【従来の技術】
図５は内視鏡を示しており、先端部分に対物光学系等が内蔵された挿入部２の基端が操作部１の下端に連結されている。
【０００３】
処置具を挿通させるための処置具挿通チャンネル３は、四フッ化エチレン樹脂製チューブ等で形成されて、挿入部２内に全長にわたって挿通配置されており、その先端は挿入部２の先端において開口している。
【０００４】
処置具挿通チャンネル３の基端側は、操作部１の下端部付近に突出して取り付けられた処置具挿入口金４に連通接続されている。処置具を差し込むために外方に開口して処置具挿入口金４に形成された処置具挿入口４ａには、漏れ防止のために、図示されていない鉗子栓が取り付けられる。
【０００５】
操作部１には、処置具挿通チャンネル３を通じて吸引動作を行うための吸引操作弁６が設けられており、吸引操作弁６に接続された吸引チューブ５が、操作部１内の処置具挿入口金４の奥の位置において処置具挿通チャンネル３の基端部付近から分岐接続されている。７は、送気送水操作弁である。
【０００６】
図６は、そのように構成された処置具挿通チャンネル３と吸引チューブ５との分岐部の組み立て途中の状態を示しており、処置具挿通チャンネル３と吸引チューブ５とが分岐接続された分岐接続部材１１が、処置具挿入口金４の内側に配置された処置具通過口金２０と螺合接続される直前の状態を示している。
【０００７】
分岐接続部材１１を処置具通過口金２０と螺合接続させるためには、操作部１内において分岐接続部材１１を処置具通過口金２０の方に寄せる作業を行う必要がある。
【０００８】
そこで従来は、操作部１の枠体１０の裏面（処置具挿入口４ａの方から見て裏面）側に切り欠き４１を形成して、分岐接続部材１１を押し込むための治工具の先端を、矢印で略示されるように切り欠き４１から操作部１内に差し込んでいた。
【０００９】
【発明が解決しようとする課題】
しかし、操作部１の下端部内に配置された分岐接続部材１１の周囲には、挿入部２内に挿通配置された光学繊維束やチューブ類等各種の内蔵物が通されている（図示せず）。
【００１０】
したがって、上述のように、分岐接続部材１１を処置具通過口金２０に接続する際に分岐接続部材１１を治工具で裏側から押し込む作業を行うと、内蔵物を治工具の先で挟んだり潰したりして破損してしまう場合があった。
【００１１】
そこで本発明は、吸引管と処置具挿通チャンネルとを分岐接続する分岐接続部材を処置具挿入口に接続する作業を行う際に、その周辺の操作部内を通っている内蔵物を破損するおそれがなく安全に組み立てることができる内視鏡の配管分岐部を提供することを目的とする。
【００１２】
【課題を解決するための手段】
上記の目的を達成するため本発明の内視鏡の配管分岐部は、挿入部が連結された操作部の下端近傍に、上記挿入部内に挿通配置された処置具挿通チャンネル内に処置具を挿入するための処置具挿入口が外方に向けて開口形成され、吸引管と上記処置具挿通チャンネルとを分岐接続する分岐接続部材が、上記操作部の下端近傍内部に配置されて上記処置具挿入口に連通接続された内視鏡の配管分岐部において、治工具の先端を係合させるための係合部を上記分岐接続部材の外面に設けると共に、上記分岐接続部材を取り囲む上記操作部の枠体の上記処置具挿入口寄りの位置に、上記係合部に係合させる治工具を外部から差し込むための切り欠きを形成したことを特徴とする。
【００１３】
なお、上記分岐接続部材に対して、上記処置具挿入口の内側に配置された接続口金が螺合接続されるものであってもよい。また、上記係合部が、上記分岐接続部材に突設された突片であってもよく、上記係合部に、上記治工具の先端を螺合させるためのネジ又は孔が形成されていてもよい。
【００１４】
また、上記切り欠きが、上記操作部の枠体の上記処置具挿入口と同方向の面に形成されたスリ割りであってもよい。或いは、上記切り欠きが、上記操作部の枠体の上記処置具挿入口が設けられた面に隣接する側面に形成された孔であってもよく、上記切り欠きが長円形状の孔であり、上記分岐接続部材を上記処置具挿入口に近づける方向に向けて細長く形成されていてもよい。
【００１５】
【発明の実施の形態】
図面を参照して本発明の実施の形態を説明する。
図５は、本発明が適用される内視鏡の全体外観図の一例であり、前述の従来の技術の項において説明したものなので、重複説明は省略する。
【００１６】
図２は、処置具挿通チャンネル３の基端部と処置具挿入口金４との連通接続部の構造を示しており、操作部１の握り部を外装する握り部カバー３１の内側に配置された枠体１０が、操作部１の下端まで下方に延出形成されていて、その端部に挿入部２の基端口金２ａが固定されている。
【００１７】
その握り部カバー３１の下端と枠体１０の下端との間（図２にＡで示される範囲）の上半部を外装する状態に枠体１０を囲んで取り付けられた処置具挿入口部カバー３２の前面側に、処置具挿入口金４を取り付けるための突起部が、斜め上方に向けて突出形成されている。
【００１８】
握り部カバー３１の下端と枠体１０の下端との間（図２にＡで示される範囲）の下半部を外装するスライドカバー３３は、下方（即ち、挿入部２の方向）にスライドさせることにより着脱自在であり、組み立て時には最後に取り付けられる。
【００１９】
処置具挿入口部カバー３２の突起部には、処置具挿入口金４等を取り付けるための孔１６が斜め上方に向けて貫通形成されており、その孔１６を内側から臨む位置に分岐接続部材１１が配置されている。
【００２０】
分岐接続部材１１にはＴ字状に管路が形成されており、その真っ直ぐに貫通する管路の一端に接続固着された接続パイプ１２に処置具挿通チャンネル３の基端が接続され、分岐接続部材１１の側方に分岐する管路に、吸引操作弁６に通じる吸引チューブ５が分岐接続パイプ１４を介して接続されている。
【００２１】
孔１６内には、円筒状の処置具通過口金２０が外側から嵌挿されており、その外側（孔１６の外端側）に処置具挿入口金４が押さえナット２１で操作部１に押圧固定されている。
【００２２】
処置具通過口金２０の軸線位置には処置具通過孔２４が真っ直ぐに貫通形成されており、処置具挿入口金４の処置具挿入口４ａから差し込まれた処置具は、処置具通過孔２４を通過し、さらに真っ直ぐに分岐接続部材１１に形成された管路を通って、処置具挿通チャンネル３内に導かれる。
【００２３】
処置具通過口金２０は、奥側の端部で分岐接続部材１１と螺合しており、孔１６内に外側から差し込んで分岐接続部材１１と螺合させることにより奥へ引き込まれ、口元側に突設されたフランジ部２０ａが孔１６に形成された段部に当接する状態になって処置具挿入口部カバー３２に固定される。２２，２６，２８はシール用のＯリングである。
【００２４】
図１は、上述のように構成された内視鏡の分岐接続部材１１を処置具通過口金２０に接続する作業を行う状態を示しており、処置具挿通チャンネル３と吸引チューブ５とが接続されて枠体１０内で遊んでいる分岐接続部材１１を、処置具通過口金２０の方に寄せなければならない。
【００２５】
そこで、この実施の形態においては、分岐接続部材１１を取り囲む枠体１０の前面側（即ち、処置具挿入口４ａ側）にスリット状の切り欠き４２を形成し、分岐接続部材１１から突出形成された突片１１ａを、切り欠き４２の内側に面する位置に配置してある。突片１１ａには、治工具１００の先端に形成された雄ネジ部を螺合させるための雌ネジ１１ｂが、切り欠き４２に面して形成されている。
【００２６】
したがって、枠体１０の前面側に形成された切り欠き４２から操作部１内に治工具１００を差し込み、その先端を突片１１ａに形成された雌ネジ１１ｂに螺合させて分岐接続部材１１を処置具通過口金２０側に引き寄せ、分岐接続部材１１を処置具通過口金２０と螺合させることができる。
【００２７】
分岐接続部材１１と処置具通過口金２０とを螺合させる作業が終わったら、治工具１００は突片１１ａとの螺合が解かれて取り外される。このようにして、分岐接続部材１１の周囲に挿通配置されている光学繊維束等の各種内蔵物を治工具１００で挟んだり潰したりすることなく、分岐接続部材１１と処置具通過口金２０とを接続させることができる。
【００２８】
図３は、本発明の第２の実施の形態の内視鏡の配管分岐部を示しており、この実施の形態においては、切り欠き４２が枠体１０の側面部分に形成されている。切り欠き４２は、長円形状に形成されていて、分岐接続部材１１から突設された突片１１ａに形成された雌ネジ１１ｂが、切り欠き４２の内側に面して配置されている。
【００２９】
したがって、IV−IV断面を示す図４に示されるように切り欠き４２から差し込まれた治工具１００の先端を突片１１ａの雌ネジ１１ｂに螺合させて、分岐接続部材１１を移動させることができる。図４において、７０及び８０は光学繊維束である。
【００３０】
切り欠き４２は、図３に示されるように、分岐接続部材１１を処置具通過口金２０に近づける方向（即ち、処置具挿入口４ａに近づける方向）に細長く形成されているので、治工具１００で分岐接続部材１１を処置具通過口金２０に当接するまで移動させて、両者を接続させることができる。
【００３１】
このようにして、第２の実施の形態においても、分岐接続部材１１の周囲に挿通配置されている光学繊維束等各種内蔵物を治工具１００で挟んだり潰したりすることなく、分岐接続部材１１と処置具通過口金２０を接続させることができる。
【００３２】
なお、分岐接続部材１１と治工具１００先端との係合のさせ方は、突片１１ａへの螺合に限らず、突片１１ａに治工具１００先端が嵌まる嵌合孔を形成してもよく、治工具１００の先端が突片１１ａを覆うように嵌合するものでもよい。
【００３３】
また、治工具１００先端が分岐接続部材１１の外面に係合するものでもよく、分岐接続部材１１の外面に雌ネジや嵌合孔を形成して、治工具１００先端を係合させるようにしてもよい。
【００３４】
【発明の効果】
本発明によれば、治工具の先端を係合させるための突片を分岐接続部材に突設すると共に、分岐接続部材を取り囲む操作部の枠体の処置具挿入口寄りの位置に、突片に係合させる治工具を外部から差し込むための切り欠きを形成したことにより、分岐接続部材を処置具挿入口に接続する作業を行う際に、分岐接続部材を治工具で裏側から押し込むのではなく、処置具挿入口側に引き寄せる動作を行えばよいので、治工具で内蔵物を破損するおそれがなく安全に組み立てることができる。
【図面の簡単な説明】
【図１】本発明の第１の実施の形態の内視鏡の配管分岐部の組み立て作業中の状態を示す側面断面図である。
【図２】本発明の第１の実施の形態の内視鏡の配管分岐部の側面断面図である。
【図３】本発明の第２の実施の形態の内視鏡の配管分岐部の組み立て作業中の状態を示す側面断面図である。
【図４】図３におけるIV−IV断面図である。
【図５】内視鏡の全体外観図である。
【図６】従来の内視鏡の配管分岐部の組み立て作業中の状態を示す側面断面図である。
【符号の説明】
１  操作部
３  処置具挿通チャンネル
４  処置具挿入口金
４ａ  処置具挿入口
５  吸引チューブ
１０  枠体
１１  分岐接続部材
１１ａ  突片
１１ｂ  雌ネジ
２０  処置具通過口金
４２  切り欠き
１００  治工具
【図１】
0004185189.tif 000002
【図２】
0004185189.tif 000003
【図３】
0004185189.tif 000004
【図４】
0004185189.tif 000005
【図５】
0004185189.tif 000006
【図６】
0004185189.tif 000007